(57)【特許請求の範囲】
【請求項１】
自転車のハンドルステムとサドルとの間に配置される自転車用幼児座席装置であって、前記自転車用幼児座席装置は、幼児用座席と、前記幼児用座席を自転車に取り付ける左右一対の取付ステーとを備え、前記幼児用座席は、座席本体と、この座席本体の左右両側に外方に突出するように設けられた左右一対の支持軸と、前記座席本体の下端部の幅方向中央に自転車のトップチューブと係合するように形成された支持凹部とを備え、前記取付ステーは、左右一対のステー本体と、前記ステー本体の前方にそれぞれ設けられた前記座席本体の前記支持軸を回転可能に差し込むための支持軸挿通孔と、前記ステー本体の後方にそれぞれ形成された、自転車のシートピラー支持クランプ締付ボルトに回転可能にはめられるクランプ締付ボルト挿通孔とを備え、前記ステー本体は、前後方向に延びる前側部と、この前側部の後端から後方に向かって内側に傾斜して延びる中央部と、この中央部の後端から後側に延びる後側部とが一体的に形成され、前記支持軸の先端部には、前記座席本体を任意の角度で前記ステー本体に固定するための支持軸固定構造が設けられ、前記シートピラー支持クランプ締付ボルトを軸芯に、前記座席本体と左右一対の前記ステー本体との間に囲まれる空間に自転車の前記サドルと前記サドルを取り付けた自転車のシートピラーを通して、前記座席本体と左右一対の前記ステー本体とを前記サドルの後方に転回することができることを特徴とする自転車用幼児座席装置。
【発明の詳細な説明】
【技術分野】
【０００１】
本発明は、自転車用幼児座席装置に関する。
【背景技術】
【０００２】
従来、自転車のハンドルステムとサドルとの間に配置される自転車用幼児座席装置としては、トップチューブ及びダウンチューブに装着した座乗支持具に、幼児を乗せる収容具を設けた婦人用自転車における子供添乗装置（特許文献１参照）や、ヘッドチューブとシートチューブを接続するフレーム部に、子供用座席がスライド自在に支持されている子乗せ装置付き自転車（特許文献２参照）などが知られている。
【先行技術文献】
【特許文献】
【０００３】
【特許文献１】特開２００９−２６２９０１号公報
【特許文献２】特開２０１２−９６６２９号公報
【発明の概要】
【発明が解決しようとする課題】
【０００４】
ところが、婦人用自転車における子供添乗装置は、外出先等で幼児を乗せる収容具を一時的に使用しない時に、乗り手が支障なくサドルの前方から乗り降りするため、幼児を乗せる収容具を一時的に脱着することが難しく、取り外した収容具を外出先等で一時的に保管することも難しいという問題がある。また、子乗せ装置付き自転車は、外出先等で子供用座席を一時的に使用しない時に、乗り手がサドルの前方から乗り降りするために子供用座席をフレーム部から取り外した際に、取り外した子供用座席を外出先等で一時的に保管することが難しく、子供用座席を支持する部分が後輪の上端部と同等の高さまたは上端部よりも低い高さに略平面状に配設されているため、乗り手がサドルの前方から乗り降りする時の支障になるという問題がある。
【０００５】
本発明は、自転車のハンドルステムとサドルとの間に配置された幼児用座席を使用しない時に、自転車の乗り手が支障なくサドルの前方から乗り降りすることができる自転車用幼児座席装置を提供することにある。
【課題を解決するための手段】
【０００６】
上記課題を解決するための手段として、本発明は、自転車のハンドルステムとサドルとの間に配置される自転車用幼児座席装置であって、自転車用幼児座席装置は、幼児用座席と、幼児用座席を自転車に取り付ける左右一対の取付ステーとを備え、幼児用座席は、座席本体と、この座席本体の左右両側に外方に突出するように設けられた左右一対の支持軸と、座席本体の下端部の幅方向中央に自転車のトップチューブと係合するように形成された支持凹部とを備え、取付ステーは、左右一対のステー本体と、ステー本体の前方にそれぞれ設けられた座席本体の支持軸を回転可能に差し込むための支持軸挿通孔と、ステー本体の後方にそれぞれ形成された、自転車のシートピラー支持クランプ締付ボルトに回転可能にはめられるクランプ締付ボルト挿通孔とを備え、ステー本体は、前後方向に延びる前側部と、この前側部の後端から後方に向かって内側に傾斜して延びる中央部と、この中央部の後端から後側に延びる後側部とが一体的に形成され、支持軸の先端部には、座席本体を任意の角度でステー本体に固定するための支持軸固定構造が設けられ、シートピラー支持クランプ締付ボルトを軸芯に、座席本体と左右一対のステー本体との間に囲まれる空間に自転車のサドルとサドルを取り付けた自転車のシートピラーを通して、座席本体と左右一対のステー本体とをサドルの後方に転回することができる。
【発明の効果】
【００１０】
本発明によれば、自転車のハンドルステムとサドルとの間に配置された幼児用座席を使用しない時に、幼児用座席を自転車のサドルの後方に転回して固定し、自転車の乗り手が支障なくサドルの前方から乗り降りすることができる。
【図面の簡単な説明】
【００１１】
【図１】本発明の一実施形態としての自転車用幼児座席装置を示す分解斜視図である。
【図２】図１の自転車用幼児座席装置の組立斜視図である。
【図３】図２の自転車用幼児座席装置を自転車に配置した状態の側面図である。
【図４】図３の自転車用幼児座席装置近傍の拡大斜視図である。
【図５】図３の自転車用幼児座席装置を、自転車のサドルの後方に転回するためにサドルの上方に移動した自転車用幼児座席装置近傍の拡大斜視図である。
【発明を実施するための形態】
【００１２】
以下、本発明の一実施形態を、図１から５に基づいて説明する。
図１は、自転車用幼児座席装置を示す分解斜視図である。自転車用幼児座席装置は、幼児用座席１と、幼児用座席１を自転車に取り付ける左右一対の取付ステー９とを備えている。幼児用座席１は、座面部３と、座面部３の後部上方に設けられた背もたれ部４と、座面部３の前部下方に設けられた足載せ部５と、座面部３、背もたれ部４及び足載せ部５の左右両側に設けられた側壁部６とが設けられた座席本体２と、この座席本体２の左右両側に外方に突出するように設けられた左右一対の支持軸７と、座席本体２の下端部の幅方向中央に自転車のトップチューブ２１と係合するように形成された支持凹部８とを備えている。取付ステー９は、左右一対のステー本体１０と、ステー本体１０の前方にそれぞれ設けられた座席本体２の支持軸７を回転可能に差し込むための支持軸挿通孔１１と、ステー本体１０の後方にそれぞれ形成された、自転車のシートピラー支持クランプ締付ボルト２６に回転可能にはめられるクランプ締付ボルト挿通孔としてクランプ締付ボルト挿通長孔１２とを備えている。ステー本体１０は、前後方向に延びる前側部と、この前側部の後端から後方に向かって内側に傾斜して延びる中央部と、この中央部の後端から後側に延びる後側部とが一体的に形成されて、この後側部は、自転車のシートピラー２３の左右両側に位置して、この後側部で自転車のシートピラー支持クランプ２４を挟持する（図２参照）。支持軸７の先端部には、座席本体２を任意の角度でステー本体１０に固定するための支持軸固定構造として、支持軸７の先端部にナットが埋設され、ボルトの頭部がそれぞれノブの先端に埋設された回転ノブ付調整ボルト１３が設けられている。
【００１３】
図２は、図１の自転車用幼児座席装置の組立斜視図である。自転車用幼児座席装置は、座席本体２の左右両側に外方に突出するように設けられた左右一対の支持軸７を、ステー本体１０の前方にそれぞれ設けられた座席本体２の支持軸７を回転可能に差し込むための支持軸挿通孔１１に差し込み、支持軸７の先端部に埋設されたナットに、回転ノブ付調整ボルト１３を挿通して締め付け、ステー本体１０を座席本体２と回転ノブ付調整ボルト１３で挟持して、座席本体２を任意の角度でステー本体１０に固定している。自転車用幼児座席装置は、自転車のトップチューブ２１の上に、座席本体２の下端部の幅方向中央に自転車のトップチューブ２１と係合するように形成された支持凹部８を載置し、自転車のシートピラー支持クランプ締付ボルト２６を、一方のステー本体１０の後方に形成されたクランプ締付ボルト挿通長孔１２と、自転車のシートピラー支持クランプ２４に形成されたボルト挿通孔２５と、他方のステー本体１０の後方に形成されたクランプ締付ボルト挿通長孔１２とに通し、シートピラー支持クランプ締付ボルト２６の先端部を自転車のシートピラー支持クランプ締付ナット２７で締め付け、シートピラー支持クランプ２４に自転車のサドル２２を取り付けた自転車のシートピラー２３とともに、自転車のシートチューブ２８の上端部に固定される。
【００１４】
図３は、図２の自転車用幼児座席装置を自転車に配置した状態の側面図である。自転車用幼児座席装置は、自転車のハンドルステム２０とサドル２２との間に配設されたトップチューブ２１の上に、座席本体２の下端部の幅方向中央に自転車のトップチューブ２１と係合するように形成された支持凹部８を載置し、左右一対のステー本体１０の後側部を自転車のシートピラー２３の左右両側に位置して自転車のシートピラー支持クランプ２４の左右両側を挟持し、自転車のシートピラー支持クランプ締付ボルト２６を、一方のステー本体１０の後方に形成されたクランプ締付ボルト挿通長孔１２と、自転車のシートピラー支持クランプ２４に形成されたボルト挿通孔２５と、他方のステー本体１０の後方に形成されたクランプ締付ボルト挿通長孔１２とに通し、シートピラー支持クランプ締付ボルト２６の先端部を自転車のシートピラー支持クランプ締付ナット２７で締め付け、シートピラー支持クランプ２４にサドル２２を取り付けた自転車のシートピラー２３とともに、自転車のシートチューブ２８の上端部に固定されている。自転車用幼児座席装置は、幼児用座席１を使用しない時には、回転ノブ付調整ボルト１３と自転車のシートピラー支持クランプ締付ナット２７とを緩め、自転車のシートピラー支持クランプ締付ボルト２６を軸芯に、座席本体２と左右一対のステー本体１０との間に囲まれる空間に自転車のサドル２２とサドル２２を取り付けた自転車のシートピラー２３を通して、座席本体２と左右一対のステー本体１０とをサドル２２の後方（矢印方向）に転回し、回転ノブ付調整ボルト１３とシートピラー支持クランプ締付ナット２７とを締め付けて仮想線の位置で固定することができる。図４は、図３の自転車用幼児座席装置近傍の拡大斜視図で、図５は、図３の自転車用幼児座席装置を、自転車のサドル２２の後方に転回するためにサドル２２の上方に移動した自転車用幼児座席装置近傍の拡大斜視図である。
【符号の説明】
【００１５】
１  幼児用座席
２  座席本体
３  座面部
４  背もたれ部
５  足載せ部
６  側壁部
７  支持軸
８  支持凹部
９  取付ステー
１０  ステー本体
１１  支持軸挿通孔
１２  クランプ締付ボルト挿通長孔
１３  回転ノブ付調整ボルト
２０  ハンドルステム
２１  トップチューブ
２２  サドル
２３  シートピラー
２４  シートピラー支持クランプ
２５  ボルト挿通孔
２６  シートピラー支持クランプ締付ボルト  
２７  シートピラー支持クランプ締付ナット
２８  シートチューブ
【要約】      （修正有）【課題】自転車のハンドルステムとサドルとの間に配置された幼児用座席を使用しない時に、自転車の乗り手が支障なくサドルの前方から乗り降りすることができる自転車用幼児座席装置を提供する。【解決手段】自転車用幼児座席装置は、幼児用座席１、幼児用座席１を自転車に取り付ける一対の取付ステー９を備え、幼児用座席１は、座席本体２、座席本体２の左右両側の、外方に突出する一対の支持軸７、座席本体２の下端部の幅方向中央の、トップチューブと係合する支持凹部８を備えている。取付ステー９は、一対のステー本体１０、ステー本体１０の前方に設けられた座席本体２の支持軸７を回転可能に差し込むための支持軸挿通孔１１、自転車のシートピラー支持クランプ締付ボルトに回転可能にはめる、ステー本体１０の後方のクランプ締付ボルト挿通孔を備えている。【選択図】図１【図１】
0005833788.tif 000002
【図２】
0005833788.tif 000003
【図３】
0005833788.tif 000004
【図４】
0005833788.tif 000005
【図５】
0005833788.tif 000006